(57)【要約】【課題】製造が簡略化されて使い勝手も良好で衛生的な洋式便器を提供する。【解決手段】便器本体１の開口上縁部分をその上面２ａが曲面状に隆起して巾広となった便座部２として一体に形成し、この便座部２と共に同便器本体１の開口部１ａを覆う開閉自在な便蓋３を備えてなる。この場合、便器本体１と便座部２とを合成樹脂にて一体に形成しており、また、便器本体１の開口上縁部分の内周面１ｂに便座部２を突出させて形成し、便蓋３の外周縁に垂設される周壁片部３ａの内周に同便器本体１の開口上縁部分の外周面１ｃに密接する弾性パッキン４を設けてもいる。【選択図】図１
2007191908.tif 000002
【特許請求の範囲】
【請求項１】
便器本体の開口上縁部分をその上面が曲面状に隆起して巾広となった便座部として一体に形成し、この便座部と共に同便器本体の開口部を覆う開閉自在な便蓋を備えてなる洋式便器。
【請求項２】
便器本体と便座部とを合成樹脂にて一体に形成したことを特徴とする請求項１記載の洋式便器。
【請求項３】
便器本体の開口上縁部分の内周面に便座部を突出させて形成し、便蓋の外周縁に垂設される周壁片部の内周に同便器本体の開口上縁部分の外周面に密接する弾性パッキンを設けたことを特徴とする請求項１又は２記載の洋式便器。
【請求項４】
便蓋の裏面に便器本体の開口部に密接嵌合される凸状段部を設けたことを特徴とする請求項１〜３のいずれか一項記載の洋式便器。
【発明の詳細な説明】
【技術分野】
【０００１】
本願発明は、便座及びこの便座と共に便器本体の開口部を覆う開閉自在な便蓋を備えてなる洋式便器に関するものである。
【背景技術】
【０００２】
従来から、便座及びこの便座と共に便器本体の開口部を覆う開閉自在な便蓋を備えてなる洋式便器は一般に知られている（例えば、特開２００４−１６０１５２号公報参照）。このような従来一般の洋式便器にあっては、便座が便器本体と別体に形成されており、便蓋と同様に便器本体に対し回動自在に取り付けられている。そして、男性が小便をする際には、便蓋と共に便座を回動操作して起立させている。
【特許文献１】特開２００４−１６０１５２号
【発明の開示】
【発明が解決しようとする課題】
【０００３】
しかしながら、上記従来例である一般の洋式便器においては、便座が便器本体とは別体に形成されていて、その成形や組立が複雑化している。また、男性が小便をする際に、便蓋と共に便座を回動操作して起立させており、この操作に手間を要している。更に、便器本体の開口上縁部と便座との隙間にゴミや汚れが溜まって付着し易く、その清掃にも難を感じて衛生的に保持し難いものである。
【０００４】
本願発明は、上記背景技術に鑑みてなされたものであり、その課題は、製造が簡略化されて使い勝手も良好で衛生的な洋式便器を提供することである。
【課題を解決するための手段】
【０００５】
上記課題を解決するために、本願発明の洋式便器は、便器本体の開口上縁部分をその上面が曲面状に隆起して巾広となった便座部として一体に形成し、この便座部と共に同便器本体の開口部を覆う開閉自在な便蓋を備えてなる。
【発明の効果】
【０００６】
本願発明の洋式便器においては、便器本体の開口上縁部分に便座部が一体に形成されているため、部材削減されて成形や組立は簡略化される。しかも、この場合、従来のように便器本体の開口上縁部と便座との隙間にゴミや汚れが溜まって付着することはなく、清掃も簡単に行えるようになる。更には、便座部と共に便器本体の開口部を覆う開閉自在な便蓋を備えているため、この便蓋で同便座部は覆われて汚れ難く、長期にわたり衛生的に保持することが容易となる。また、便座部はその上面が曲面状に隆起して巾広となっているため、座り心地が良くて着座状態は安定したものとなる。
【発明を実施するための最良の形態】
【０００７】
図１、２は、本願の請求項１〜３に対応した第一の実施形態である洋式便器を示している。この実施形態の洋式便器は、便器本体１の開口上縁部分をその上面２ａが曲面状に隆起して巾広となった便座部２として一体に形成し、この便座部２と共に同便器本体１の開口部１ａを覆う開閉自在な便蓋３を備えてなる。この場合、便器本体１と便座部２とを合成樹脂にて一体に形成しており、また、便器本体１の開口上縁部分の内周面１ｂに便座部２を突出させて形成し、便蓋３の外周縁に垂設される周壁片部３ａの内周に同便器本体１の開口上縁部分の外周面１ｃに密接する弾性パッキン４を設けてもいる。
【０００８】
以下、この実施形態の洋式便器をより具体的詳細に説明する。この実施形態の洋式便器では、便器本体１がアクリル、ＰＣ、ＡＢＳ、ＰＶＣ、ＰＰ等の合成樹脂で形成され、その開口部１ａは平面視略楕円形状であり、この開口部１ａの上縁部分の内周面１ｂに便座部２が全周にわたって一体に突出形成されている。また、便器本体１の底部分には排出口５が開口形成されており、排便使用後に洗浄水で洗い流される汚物は同排出口５から下水道へと排出除去される。そして、便器本体１の後端部上には軸部６を介して便蓋３が回動自在に取り付けられており、この便蓋３によって便座部２と共に同便器本体１の開口部１ａは開閉自在にカバーされる。
【０００９】
便座部２は５０〜１００ｍｍの巾寸法を有するように便器本体１の開口上縁部分から内側に突設されており、その上面２ａの略中央部位が両側縁部位に比して５〜１０ｍｍ程度高くなるよう曲面状に隆起している。そして、便座部２の上面２ａの外周縁部分には略水平な平段部２ｂが形成されており、この平段部２ｂ上には後記のように便蓋３が着脱自在に当接支持される。便蓋３は合成樹脂にて一体に形成され、便器本体１の便座部２の外周形状に対応する大きさ形状の板状体で、その外周縁全周に周壁片部３ａが一体に垂設されている。
【００１０】
便蓋３により便器本体１の開口部１ａが閉塞された状態で、同便蓋３の周壁片部３ａは便座部２の外側に嵌合される。その際、周壁片部３ａの内周に突設された凸起段部３ｂが前記便座部２の平段部２ｂ上に当止されることで、便蓋３はその閉塞状態にあって便器本体１上で確実に支持される。また、周壁片部３ａの内周で凸起段部３ｂの下方には、軟質合成樹脂、ゴム等でなる弾性パッキン４が全周にわたって付設されており、この弾性パッキン４は便蓋３の閉塞状態において、便器本体１の開口上縁部分の外周面１ｃに密接される。この状態では、便器本体１の開口部１ａ内が便蓋３によって密閉されている。
【００１１】
したがって、この実施形態の洋式便器においては、便器本体１の開口上縁部分に便座部２が一体に形成されているため、部材削減されて成形や組立は簡略化され、製造が容易なものとなる。しかも、この場合には、従来のように便器本体１の開口上縁部と便座との隙間にゴミや汚れが溜まって付着することはなく、水洗いや拭き掃除等による清掃も簡単に行えるようになる。更には、便座部２と共に便器本体１の開口部１ａを覆う開閉自在な便蓋３を備えているため、この便蓋３で同便座部２は覆われて汚れ難く、長期にわたり衛生的に保持することが容易となる。また、便座部２はその上面２ａが曲面状に隆起して巾広となっているため、座り心地が良くて着座状態は安定したものとなる。
【００１２】
また、この実施形態の洋式便器においては、便器本体１と便座部２とを合成樹脂にて一体に形成しているため、両者は射出成形、注型成形等で寸法精度良く簡単に製造され、便蓋３が閉塞された状態での嵌合状態も良好なものとなる。そして、便器本体１の開口上縁部分の内周面１ｂに便座部２を突出させて形成しているため、洗浄水や尿等の汚水は同便座部２で跳ね返されて便器本体１の開口部１ａから外側へ飛散し難くなり、従来のように便器本体１の開口上縁部と便座との隙間から汚水が流出することもなく、トイレ床面における雑菌の繁殖や悪臭の発生等の問題は解消され、トイレ内が衛生的に保持される。
【００１３】
また、この場合、便蓋３の外周縁に垂設される周壁片部３ａの内周に便器本体１の開口上縁部分の外周面１ｃに密接する弾性パッキン４が設けられているため、便蓋３により便器本体１の開口部１ａは密閉され、汚水や臭気の漏出が確実に防止される。そして、例えば、ミスト発生装置が付設されて便器本体１の開口部１ａの内部がミスト洗浄されるような場合には、弾性パッキン４の封止によりミストの漏出が確実に防止されて洗浄効率も向上される。また、この場合、便座部２の上面２ａと便蓋３の裏面との間に間隔をあけることで、同便座部２の上面２ａがミスト洗浄されたりその後に温風乾燥されたりするようになしてもよい。
【００１４】
図３は、本願の請求項１〜３に対応した第二の実施形態である洋式便器を示している。この実施形態の洋式便器では、便器本体１の開口上縁部分の前側において、便座部２が一部欠如された凹段部７を設けている。この場合、着座に支障はなく、男性が立って手前側から小便をした際等に、尿が便座部２に降りかからないようにすることができ、同便座部２の衛生を確保することができる。なお、それ以外は、上記第一の実施形態と同様に構成されており、上記第一の実施形態におけると同様の作用効果が奏される。
【００１５】
図４は、本願の請求項１〜４全てに対応した第三の実施形態である洋式便器を示している。この実施形態の洋式便器では、便蓋３の裏面に便器本体１の開口部１ａに密接嵌合される凸状段部３ｃを設けている。この場合、合成樹脂でなる便蓋３の裏面中程に、便器本体１の開口部１ａに対応する大きさ形状の凸状段部３ｃが一体に突出形成されており、その突出高さ寸法は周壁片部３ａの垂下寸法と略等しく設定されている。また、便座部２の上面２ａ部分が合成樹脂発泡体８で形成されており、この合成樹脂発泡体８は硬質であっても軟質であっても、便器本体１の便座部２に一体成形されても貼着一体化されてもよいものである。
【００１６】
したがって、この実施形態の洋式便器においては、便蓋３の閉塞状態で便器本体１の開口部１ａに凸状段部３ｃが密接嵌合されて、便座部２の上面２ａに汚水やミスト等による悪影響は及ばず、特に、周壁片部３ａと凸状段部３ｃとで両側が密閉される空間内に同便座部２の上面２ａを形成する合成樹脂発泡体８は収容保護され、その汚れや破損が確実に防止される。なお、それ以外は、上記第一の実施形態と同様に構成されており、上記第一の実施形態におけると同様の作用効果が奏される。
【図面の簡単な説明】
【００１７】
【図１】本願発明の第一の実施形態である洋式便器を示す縦断面図。
【図２】同洋式便器の全体外観を示す斜視図。
【図３】本願発明の第二の実施形態である洋式便器の全体外観を示す斜視図。
【図４】本願発明の第三の実施形態である洋式便器を示す縦断面図。
【符号の説明】
【００１８】
１  便器本体
１ａ  開口部
１ｂ  内周面
１ｃ  外周面
２  便座部
２ａ  上面
３  便蓋
３ａ  周壁片部
３ｃ  凸状段部
４  弾性パッキン
【図１】
2007191908.tif 000003
【図２】
2007191908.tif 000004
【図３】
2007191908.tif 000005
【図４】
2007191908.tif 000006